(57)【要約】【課題】バネ蝶番の回動軸用ネジが例え緩んだとしても、テンプルがバタ付かない様に、最適なアガキを常時付加する事。【解決手段】テンプルが折り畳まれた状態から拡げられた状態までの約９０度内の範囲内での被圧接側の丁番コマ（２０）の部分的円周部分（２５ｃ）の半径（Ｒ１）が０．８ｍｍ〜１．３ｍｍ以内に設けられ、そうして、テンプルの開拡・開閉の停止状態の場合は勿論テンプルの回動の際にも、予備緊張状態のバネの付加を伴う圧接側の部材により前記被圧接側の丁番コマの部分的円周部分（２５ｃ）及び／又は回動軸部（４０）に適宜アガキが常時付加されている事を特徴とするバネ丁番の構造の提供。【選択図】図２
2006293252.tif 000002
【特許請求の範囲】
【請求項１】
メスコマ部とオスコマ部とを有しそれらの中心に回動軸を有するバネ丁番部の構造であって、テンプルが折り畳まれた状態から拡げられた状態までの約９０度内の範囲内での被圧接側の丁番コマの部分的円周部分の半径が０．８ｍｍ〜１．３ｍｍ以内に設けられ、そうして、テンプルの開拡・開閉の停止状態の場合は勿論テンプルの回動の際にも、予備緊張状態のバネの付加を伴う圧接側の部材により前記被圧接側の丁番コマの部分的円周部分及び／又は回動軸部に適宜アガキが常時付加されている事を特徴とするバネ丁番の構造。
【請求項２】
メスコマ部とオスコマ部と、それらの中心に回動軸としての軸ネジを有するバネ丁番の構造であって、テンプルが折り畳まれた状態から拡げられた状態までの約９０度内の範囲内での被圧接側の丁番コマの部分的円周部分の半径が０．８ｍｍ〜１．３ｍｍ以内に設けられ、そうして、テンプルの開拡・開閉の停止状態の場合は勿論テンプルの回動の際にも、予備緊張状態のバネの付加を伴う圧接側の部材により、例え軸ネジが緩んでいたとしても、前記被圧接側の丁番コマの部分的円周部分及び／又は回動軸部に適宜アガキが常時付加されている事を特徴とするバネ丁番の構造。
【請求項３】
前記テンプルが折り畳まれた状態および拡げられた状態の時、その状態を安定して維持出来る手段が、メスコマ部及びオスコマ部の両方に設けられた事を特徴とする請求項１又は２の何れか１項に記載のバネ丁番の構造。
【発明の詳細な説明】
【技術分野】
【０００１】  本発明は、眼鏡のヒンジ部に用いられるバネ丁番の構造に関する。
【背景技術】
【０００２】  従来、眼鏡のテンプルとエンドピースの間に回動軸、又は回動軸用ネジを用いたバネ丁番構造が用いられて来た。
【発明の開示】
【発明が解決しようとする課題】
【０００３】  しかし、回動軸、又は回動軸用ネジが、磨耗したり、ネジが緩んできたりすると、予め付与されていた適度なアガキが失われ、バネ丁番はバネ丁番を使わない丁番よりもぐらぐらする度合い（所謂バタ付き）が強くなり掛け難くなってしまい、視点がずれて目を悪くする元になってしまっていた。
【課題を解決するための手段】
【０００４】  上記課題を解決する為に、本発明では、メスコマ部とオスコマ部とを有しそれらの中心に回動軸を有するバネ丁番部の構造であって、テンプルが折り畳まれた状態から拡げられた状態までの約９０度内の範囲内での被圧接側の丁番コマの部分的円周部分の半径が０．８ｍｍ〜１．３ｍｍ以内に設けられ、そうして、テンプルの開拡・開閉の停止状態の場合は勿論テンプルの回動の際にも、予備緊張状態のバネの付加を伴う圧接側の部材により、前記被圧接側の丁番コマの部分的円周部分及び／又は回動軸部に適宜アガキが常時付加されている事を特徴とするバネ丁番の提供により上記課題の解決を図った。
【発明の効果】
【０００５】  上記手段を採る事により、例え、回動軸部が磨耗によって緩んだり、ネジが緩んだりしても、常時アガキが付加される為に、眼鏡の掛け具合が良い状態が維持され、視点のズレも無く目にも優しくなった。そして長期的に安定的な眼鏡の提供が可能になった。
【発明を実施するための最良の形態】
【０００６】  本発明の最良の形態として、メスコマ部とオスコマ部とを有しそれらの中心に回動軸を有するバネ丁番部の構造であって、テンプルが折り畳まれた状態から拡げられた状態までの約９０度内の範囲内での被圧接側の丁番コマの部分的円周部分の半径が０．８ｍｍ〜１．３ｍｍ以内に設けられ、そうして、予備緊張状態のバネの付加を伴う圧接側の部材により、テンプルの開拡・開閉の停止状態の場合は勿論テンプルの回動の際にも、前記被圧接側の丁番コマの部分的円周部分及び／又は回動軸部に適宜アガキが常時付加されている事を特徴とするバネ丁番。以下本発明を図に従って説明する。
【実施例】
【０００７】  図１は、本発明の丁番の平面図であり、図２は被圧接側の部材であるヨロイ側の要部拡大平面図である。図１に於いて、ヨロイ１０の後端部に設けられたメスコマ部２０とテンプル３０の先端部に設けられたオスコマ部２１が回動軸又は回動用軸ネジ４０を中心にして回動可能に取着されている。この場合テンプル側に設けられたバネ５０のテンションがメスコマ部２０の後側面２２及び／又は回動軸４０に常時掛かるように設けられている。又、ここで該バネ５０は圧縮コイルバネでも引きバネのどちらでも良い。【０００８】  そしてテンプルが開拡された状態から更に外側に過開拡する事も勿論可能であるがここでは解決する課題が異なるので省略する。【０００９】  そして、テンプル３０が拡げられた状態から閉じられる方向に約９０度内方に回動させられる。テンプル３０が拡げられた状態又は閉じられた状態の時、その停止状態が保持されるようにメスコマ部２０の後側面２２と内側面２３は少なくとも平坦な安定維持手段部分を有するように設計されている。【００１０】  前記テンプルが回動する際に、図５のように回動軸４０ａが磨耗等により緩んだ状態、又は図６のように軸ネジの締め付けが緩んだりすることにより、上下メスコマ部のオスコマ部に対する締め付け力ｆが弱くなる事によるアガキの喪失の状態等がある場合、テンプルのバタ付きが生じ非常に眼鏡を掛け難くなってしまい苦情が多発していた。【００１１】  図３は本発明を説明する為のヨロイ後端部メスコマ部の要部拡大平面図であり、図の様にテンプルが折り畳まれた状態から拡げられた状態までの約９０度内の範囲内での被圧接側の丁番コマの部分的円周部分２５ｂの半径Ｒ２を小さく、即ち曲率を大きく取ると、或る程度回動した所からいきなり折り畳む方向又は拡げる方向にテンションが掛かる所謂ダブルアクションの状態になってしまい適宜なアガキが得られなくなってしまった。【００１２】  又、図４の様に、部分的円周部分２５ｃの半径Ｒ３を大きく、即ち曲率を小さく取ると、圧接側のコマ部が部分的円周部分２５ｃ上に来ると予備緊張状態にあったバネが伸びてしまいテンションが被圧接側に掛かり難くなってしまいアガキが少なくなってしまった。【００１３】  そこで本発明者は、色んな大きさの丁番を用い鋭意試作実験した結果、図２に示した如く、非圧接側の丁番コマ部２０の部分的円周部分２５ａの半径Ｒ１を０．８ｍｍ〜１．３ｍｍの間にする事により上記ダブルアクションの効果を生じさせることも無く、例え回動軸や回動軸ネジが緩んだりしても適宜なアガキをテンプル開拡・開閉の停止状態の場合は勿論テンプルの回動の際にも与える事が可能となった。【００１４】  又、図２で部分的円周部分２５ａの中心は回動軸中心Ｍからの内側面２３への垂線ｈとその内側面２３に平行で且つ回動軸中心Ｍを通る線ｊの角Ｑ、これは約９０度になるが、それのほぼ二分割された線上ｋにあることが好ましい。【００１５】  以上のように、本発明によると長期的に安定した掛け易い眼鏡が得られることとなった。
【図面の簡単な説明】
【００１６】
【図１】本発明の実施例の平面図
【図２】本発明の実施例の要部拡大平面図
【図３】参考要部拡大平面図
【図４】参考要部拡大平面図
【図５】参考回動軸部断面図
【図６】参考回動軸ネジ部断面図
【符号の説明】
１０    ヨロイ
２０    メスコマ部
２１    オスコマ部
２２    ヨロイ後端部内側面
２５    部分的円周部分
３０    テンプル
４０    軸ネジ部
５０    バネ
【図１】
2006293252.tif 000003
【図２】
2006293252.tif 000004
【図３】
2006293252.tif 000005
【図４】
2006293252.tif 000006
【図５】
2006293252.tif 000007
【図６】
2006293252.tif 000008